(57)【要約】 【課題】  キー入力によるパスワードや照合用の画像を必要とせず、しかも、照合操作が覚え易く且つ、照合操作を簡単に行うことが出来る照合装置、照合方法プログラムを提供すること。【解決手段】  表示部３に表示された複数の升目の中の一つにカーソルを表示させ、この表示されたカーソルを予め決められた升目を、カーソルキー４を操作して予め決められた順番で升目移動させる。この移動が予め定められた順序で行われたか否かによりカーソルで指示することによりユーザの照合を行う。これにより、文字や数字などによるパスワード入力や照合用の画像を必要とせず、しかも、照合操作が覚え易く且つ、照合操作を簡単に行うことができる。【選択図】  図１  
2005050251.tif 000002
【特許請求の範囲】
【請求項１】
複数の同一形状の小領域からが連続して平面状に連結してなる図形を表示する表示手段と、
この表示手段によって表示された前記複数の小領域の中の任意の小領域を順次指定指示する指定指示手段と、
この指定手段によって順次指定された前記指示された小領域の位置情報を記憶する位置情報記憶手段と、
前記指定手段によって新たに小領域が順次指定された際にこの新たに指定された及び指示順と予め設定された小領域の位置情報が前記位置情報記憶手段に記憶された位置情報と一致するか否かを及び指示順とを比較する比較手段と、
この比較手段による比較結果が一致した際には照合成功とし一致しなかった際前記指示された小領域の位置及び指示順のいずれか一方又は両方が前記予め設定された小領域の位置及び指示順に対して一か所でも異なる場合には照合失敗としてそれぞれ予め定められた処理を行う照合、前記指示された小領域の位置と指示順の全てが前記設定された小領域の位置及び指示順とに一致した場合に照合成功とする判定手段制御手段と、
を具備することを特徴とする照合装置。
【請求項２】
前記照合制御判定手段は、更に、前記指定手段によって順次指定される小領域の指定順序が一致していなければ照合失敗として処理する中で指示すべき少なくとも１個以上の小領域の位置及び指示順を任意に設定する設定手段を具備することを特徴とする請求項１に記載の照合装置。
【請求項３】
更に前記設定手段は、前記指定手段は、前記表示手段に表示される複数の小領域のうちの一つにカーソル表示体を表示させるカーソル表示手段と、このカーソル表示手段によって表示されたカーソル表示体を別の小領域に移動表示させる画面上に同時に表示されるカーソルを移動するカーソル移動手段とを備え、
前記位置情報記憶手段には、前記カーソル移動手段によってカーソル表示体で指示された小領域の位置情報をその小領域が指示された順番に関連付けて記憶する記憶手段と、
を具備することを特徴とする請求項２１に記載の照合装置。
【請求項４】
前記指定設定手段は、前記複数の小領域の中の任意の小領域を他の小領域とは異なった表示態様で表示させることにより小領域を指定する連続して繋がる複数の小領域を指示すべき小領域として設定することを特徴とする請求項２１又は３いずれかに記載の照合装置。
【請求項５】
前記表示手段によって表示される図形は複数のｎ×ｍの升目図形であることを特徴とする請求項１乃至４のいずれかに記載の照合装置。  
【請求項６】
請求項１乃至５のいずれかに記載の照合装置を搭載し、この照合装置により照合が成功した場合に限り機器自体装置を使用可能状態にすることを特徴とする電子機器。
【請求項７】
コンピュータに対して、
複数の小領域からなる図形を表示するステップ機能と、
このステップによって表示された前記複数の小領域の中の任意の小領域を順次指定する機能ステップと、
このステップによってこの順次指定された小領域の位置情報を位置情報記憶手段に記憶させる機能ステップと、
新たに小領域が順次指定された際にこの新たに指定された小領域の位置情報が前記位置情報記憶手段に記憶された位置情報と一致するか否かを比較する機能ステップと、
このステップによる前記比較結果が一致した際には照合成功とし一致しなかった際には照合失敗としてそれぞれ予め定められた処理を行う機能ステップと、
を実現させるためのプログラム。
を具備することを特徴とする照合方法。複数の升目とカーソルを表示するステップと、
前記カーソルを移動させて少なくとも１個以上の升目を順次指示するステップと、
前記指示された升目とその指示順が１個でも予め決められた升目及びその指示順と異なる場合は照合失敗とするステップと、
を具備することを特徴とする照合方法。
【請求項８】
前記指示された全ての升目が予め決められた升目で且つその指示順が予め決められた指示順通りであった場合に照合成功とするステップを具備することを特徴とする請求項７に記載の照合方法。
【発明の詳細な説明】
【技術分野】
【０００１】
本発明は、携帯情報端末などの電子機器に係り、特に電子機器を使用する際にユーザが使用権を有するかどうかの照合を行う照合装置、及び照合方法プログラム及び電子機器に関する。
【背景技術】
【０００２】
近年、パーソナルコンピュータや携帯情報端末等の情報処理装置が広く利用されるようになってきている。このような情報処理装置では、第三者が勝手に情報処理装置を操作して記憶情報などを閲覧できないようにするためのユーザ照合が行なえるようになっている。
【０００３】
このユーザ照合は例えばユーザが文字或いは数字などのパスワードを入力し、それが正しいものであれば情報処理装置を使用できる状態に移行するが、正しくないと、情報処理装置を使用できる状態に移行しないように構成することによってため、使用者の制限を行うことができる。しかしながら、文字或いは数字などのパスワードの入力を行うためにはキーボードを操作するか或いはペン入力によってパスワードを入力せざるを得ず、持たない携帯情報端末ではその操作は極めて煩わしいものであった。そこでるため、文字や数字を入力しない簡単な操作でユーザの照合チェックを行うことが考えられているえるものがある（例えば特許文献１参照）。
【０００４】
即ち、上記特許文献１の従来例では、照合チェック時、予め設定された画像を表示装置に表示させると共にため、ユーザは入力装置により画像上の予め決められた座標位置を順次指示し、それらの指示位置と予め装置に設定されている指示位置と指示順が合致すれば、照合成功としてこのユーザは使用資格有りとするものである。
【特許文献１】特開平１１−１２６１９１号公報（第４−５頁、第１図）
【発明の開示】
【発明が解決しようとする課題】
【０００５】
しかし、上記従来のような照合方法では、照合のための適切な照合用の画像が必要であり、また、画像上の指示位置が正しいかどうかの判断に際し、許容範囲を広くすればユーザの指示操作はラフで良く、操作が容易になるが、その分、いい加減に指示した場合にも指示位置が正しいと判断される確率が高まり、セキュリティーが劣ることになる。かと言って一方、許容範囲を狭くすると、ユーザの指示点が僅かにずれてもエラーとなるので、指示操作を正確に行わなければならず、照合操作が煩わしくなる。更に、画像の指示点とその順番を複雑にしてセキュリティーを上げた場合、それを記憶するのが難しくなると共に、紙などに控えることが容易でなく、使用資格のあるユーザが画像の指示点とその順番を忘れてしまい、照合エラーとなってしまう恐れがあった。
【０００６】
本発明は、上述の如き従来の課題を解決するためになされたもので、その目的は、文字や数字によるパスワードや照合用の画像を必要とせず、しかも、照合操作が覚え易く且つ、照合操作を簡単に且つ確実に行うことができる照合装置、照合方法プログラム及び電子機器及び前記照合装置を搭載した電子機器を提供することである。
【課題を解決するための手段】
【０００７】
この発明の課題を解決するための手段は以下の通りである。
【０００８】
請求項１の照合装置発明は、複数の小領域からなる図形を表示する表示手段と、この表示手段によって表示された前記複数の小領域の中の任意の小領域を順次指定する指定手段と、この指定手段によって順次指定された小領域の位置情報を記憶する位置情報記憶手段と、前記指定手段によって新たに小領域が順次指定された際にこの新たに指定された小領域の位置情報が前記位置情報記憶手段に記憶された位置情報と一致するか否かを比較する比較手段と、この比較手段による比較結果が一致した際には照合成功とし一致しなかった際には照合失敗としてそれぞれ予め定められた処理を行う照合判定制御手段とを具備することを特徴とする。
【０００９】
複数の同一形状の小領域が連続して平面状に連結してなる図形を表示する表示手段と、前記小領域の中の任意の小領域を指示する指示手段と、前記指示された小領域の位置及び指示順と予め設定された小領域の位置及び指示順とを比較する比較手段と、前記指示された小領域の位置及び指示順のいずれか一方又は両方が前記予め設定された小領域の位置及び指示順に対して一か所でも異なる場合は照合失敗とし、前記指示された小領域の位置と指示順の全てが前記設定された小領域の位置及び指示順とに一致した場合に照合成功とする判定手段とを具備することを特徴とする。
【００１０】
上記発明によれば、予め決められた小領域を予め決められた順番で指示順次指定することにより、ユーザの照合を行うことができるため、文字や数字によるパスワード入力や照合用の画像を必要とせず、しかも、照合操作が覚え易く且つ、照合操作を簡単に行うことができる。
【００１１】
請求項２の発明は、前記照合判定手段が、更に、前記指定手段によって順次指定される小領域の指定順序が一致していなければ照合失敗として処理することを特徴とするもので、位置情報だけでなく指定順序の一致も要求されるためセキュリテイーを高めることが出来る。
【００１２】
請求項３の発明は、更に、前記指定手段が、前記表示手段に表示される複数の小領域のうちの一つにカーソル表示体を表示させるカーソル表示手段と、このカーソル表示手段によって表示されたカーソル表示体を別の小領域に移動表示させるカーソル移動手段とを備えており、前記位置情報記憶手段には、前記カーソル移動手段によってカーソル表示体が表示される小領域の位置情報が記憶されることを特徴とする。
【００１３】
この発明によれば、カーソルの移動で小領域を指定できるので、指定が極めて容易に行えるものである。
【００１４】
請求項４の発明は、前記指定手段が、前記複数の小領域の中の任意の小領域を他の小領域とは異なった表示態様で表示させることにより小領域を指定することを特徴とするもので、カーソルでなく他の表示態様の違いによって小領域を指定することが出来る。
【００１５】
請求項５の発明は、前記表示手段によって表示される図形は複数の升目図形であることを特徴とする。
【００１６】
請求項６の発明の電子機器は、請求項１乃至５いずれかに記載の照合装置を搭載し、この照合装置により照合が成功した場合に限り機器自体を使用可能状態にすることを特徴とする。
【００１７】
上記発明によれば、予め決められた小領域を予め決められた順番で指示することにより、ユーザの照合を行う照合装置を搭載することにより、テンキーなどを備えていない電子機器でも照合操作を簡単且つ迅速に行うことができる。
【００１８】
請求項７の照合方法は、コンピュータに対して、複数の小領域からなる図形を表示する機能と、この表示された前記複数の小領域の中の任意の小領域を順次指定する機能と、この順次指定された小領域の位置情報を記憶させる機能と、新たに小領域が順次指定された際にこの新たに指定された小領域の位置情報が前記記憶された位置情報と一致するか否かを比較する機能と、前記比較結果が一致した際には照合成功とし一致しなかった際には照合失敗としてそれぞれ予め定められた処理を行う機能とを実現させるためのプログラムであることを特徴とする。複数の小領域からなる図形を表示するステップと、このステップによって表示された前記複数の小領域の中の任意の小領域を順次指定するステップと、このステップによって順次指定された小領域の位置情報を位置情報記憶手段に記憶させるステップと、新たに小領域が順次指定された際にこの新たに指定された小領域の位置情報が前記位置情報記憶手段に記憶された位置情報と一致するか否かを比較するステップと、このステップによる比較結果が一致した際には照合成功とし一致しなかった際には照合失敗としてそれぞれ予め定められた処理を行うステップとを具備することを特徴とする請求項６の発明は、請求項１乃至５いずれかに記載の照合装置を搭載し、この照合装置により照合が成功した場合に限り装置を使用可能状態にすることを特徴とする。
【００１９】
上記発明によれば、予め決められた小領域を予め決められた順番で指示することにより、ユーザの照合を行う照合装置を搭載することにより、テンキーなどを備えていない電子機器でも照合操作を簡単且つ迅速に行うことができる。
【００２０】
請求項７の発明は、複数の升目とカーソルを表示するステップと、前記カーソルを移動させて少なくとも１個以上の升目を順次指示するステップと、前記指示された升目とその指示順が１個でも予め決められた升目及びその指示順と異なる場合は照合失敗とするステップとを具備することを特徴とする。
【００２１】
上記発明によれば、予め決められた小領域升目を予め決められた順番で指示することにより、ユーザの照合を行うことができるため、パスワードや照合用の画像を必要とせず、しかも、照合操作が覚え易く且つ、照合操作を簡単に行うことができる。
【発明の効果】
【００２２】
以上詳細に説明したように、本発明によれば、予め決められた小領域を予め決められた順番で指示することによって、ユーザの照合を行うことにより、パスワードや照合用の画像を用いることなく、しかも、照合操作が覚え易く且つ、照合操作を簡単且つ確実に行うことができる。
また、本発明によれば、設定データを任意に設定する設定手段を設けたことにより、ユーザが好みの設定データを設定することができると共に、適宜設定データを変更してセキュリティーを向上させることができる。
また更に、本発明によれば、設定データを連続した小領域で形成される経路とする
ことにより、設定データの設定を容易に行うことができる。
また、本発明によれば、小領域を升目とすることにより、照合用の図形を簡単に表示できると共に、升目の数を容易に増減することができ、また、照合指示を容易且つ確実にすることができる。
また更に、本発明によれば、電子機器に、予め決められた小領域を予め決められた順番で指示することによってユーザの照合を行う照合装置を搭載することにより、テンキーなどを持っていない電子機器でも容易且つ迅速に照合操作を行うことができる。
【発明を実施するための最良の形態】
【００２３】
本発明は、表示部に表示された複数の升目の中の一つにカーソルを表示させ、この表示されたカーソルを予め決められた升目を、カーソルキーを操作して予め決められた順番で升目移動させ、この移動が予め定められた順序で行われたか否かによりカーソルで指示することによりユーザの照合を行うことによってその目的を実現した。
【実施例１】
【００２４】
以下本発明の実施の形態を図面に基づいて説明する。図１は、本発明の第１の実施の形態に係る照合装置を搭載したＰＤＡ（パーソナル・デジタル・アシスタンツ）などの携帯情報端末１の構成を示した平面図である。
【００２５】
携帯情報端末１は本体ケース（以下、ケースと略称する。）を収納するケース２に着脱可能の通信カード９と記憶媒体１０が装着されて構成され、ケース２の前面には、液晶などの表示部３と表示画面上のカーソルを移動させる十字キー（以降カーソルキーと称する）４とユーザ照合時などにも用いられる機能キー５、６が配置されている。また、通信カード９には無線信号を送受信するアンテナ８が取り付けてある。尚、以降機能キー５をエンターキー５と称し、機能キー６を終了キー６と称する。
【００２６】
図２は携帯情報端末１の情報処理系の構成を示した回路ブロック図である。情報処理系は、制御部（ＣＰＵ）１１は、ＲＯＭ１２に記憶されているプログラムやデータに基づいて回路全体の動作をコントロールするもので、この制御部１１を動作させるプログラムやデータを記憶するＲＯＭ１２と、制御部１１が動作する上で必要なＲＡＭ、フラッシュメモリ、ハードディスクなどの各種の記憶装置から成る記憶部１３と、通信カード９を制御してデータの送受信を行う通信制御部１４と、文字や図形及び画像などを表示する表示部３と、図１に示したカーソルキー４やエンターキー５及び終了キー６などを含むキー入力部１５と、記憶媒体１０からにデータを読み出したりデータを書き込んだりする制御を行う記憶制御部１６とがバスライン１７を介して接続されて構成を有している。
【００２７】
図３は、上記記憶部１３のフラッシュメモリに記憶され、ユーザ照合を行う際にＲＡＭ上に展開される照合用データのレジスタ構成を示した模式図である。図３（ａ）において、Ｆは予めユーザ照合用のデータが設定されているか否かが有るか無いかを示す照合フラグ（１＝設定あり、０＝設定無し）であり、Ｃは表示部３の後述する画面上のカーソル位置を示すカーソルポインタである。Ｐは後述する複数の順位レジスタＲのいずれか一つを指定するアドレス指定ポインタ（ユーザにより指示される升目（後述）のアドレスを示すポインタで、順位はユーザが升目を指示していく順番に一致している。）であり、Ｎは設定数（予めユーザにより設定された照合用データの設定数ユーザが指示すべき升目の数）を示している。複数の順位レジスタＲはユーザにより指定されるべき升目の位置（後述する如く、升目の番号）データを保持するレジスタである。し、上記したＲＡＭ上に設定される。
【００２８】
次に本実施の形態の動作について図４に示したフローチャートを参照して説明する。携帯情報端末１携帯無線端末１の電源をオンすると、制御部１１はステップＳ１で、記憶部１３のＲＡＭ上のフラグＦが１であるかどうか、即ちユーザ照合用のデータが設定されているかどうかを判断し、その結果、Ｆが１で無い場合（Ｆ＝０）はユーザ照合用のデータが設定されていないと判断してステップＳ４に進み、また、Ｆが１である場合はユーザ照合用のデータが既に設定されていると判断してステップＳ２に進む。
【００２９】
ユーザ照合用のデータが設定されていないと判断してステップＳ４に進んだ場合、制御部１１はステップＳ５４で、表示部３に照合データを設定するかどうかをユーザに問い合わせる図５に示すような表示を行わせる。即ち、照合データが未設定である旨の表示を行わせると共に、「設定する」或いは「設定しない」のいずれか一方に枠表示体１８を表示させる。この枠表示体１８は、カーソルキー４で「設定する」或いは「設定しない」のいずれか一方に移動可能となっており、いずれか一方に移動した状態でエンターキー５を操作することによってユーザが照合データの設定を行うか否かが選択できるようになっている。しかして、ステップＳ５では、ユーザがいずれを選択したかを判断した後、ユーザの応答に応じて、照合データを設定するか否かを判断し、設定しない」を選択した場合はステップＳ７に進み、携帯情報端末１で装置を使用可能状態になるように移行させる動作を開始する。ステップＳ５で、照合データの設定を選択する場合はステップＳ６に進んで、照合データの設定処理を行う。
【００３０】
一方、ユーザ照合が設定されていると判断してステップＳ２に進んだ場合、制御部１１はステップＳ２で、表示部３に図６に示すような升目１００を表示すると共に、カーソルＫを表示する。升目１００は５×５＝２５個の枡目で構成されている。但し、各升目に付けられている番号（０〜２４）は説明の便宜上付けられており、実際の表示時には升目の番号は表示されない。また、本例では升目の番号は升目の位置情報になっているが、この位置情報は升目の位置を表す（Ｘ、Ｙ）座標であっても良い。
【００３１】
ユーザはカーソルＫを十字キー（カーソルキー）４を操作して、予め決められた升目を予め決められた順序で指示する。カーソルキー４でカーソルＫを予め決められた升目のところに移動し、エンターキー５を押すと、指示した升目の座標値が制御部１１に入力され、制御部１１はこの入力値と予め設定された設定データを比較する照合処理をステップＳ３で行なう。
【００３２】
図７は図４のステップＳ６の設定処理の詳細を示したフローチャートサブルーチンである。まず、制御部１１はステップＳ６１で、図３（ａ）に示した記憶部１３のＲＡＭ上の照合用データ（図３参照）を初期設定する。即ち、カーソル位置を示すカーソルポインタＣを０、アドレス指定ポインタＰを１、設定数Ｎを０に設定する。これと同時に図８に示すような照合設定用の升目１００を表示部３に表示すると共に、升目の一つにカーソルＫを表示する。升目１００は５×５＝２５個の小領域となる枡目で構成されている。但し、各升目に付けられている番号（０〜２４）は本実施の形態の説明の便宜上付けたものであり、実際の表示時には升目の番号は表示されない。
【００３３】
次に制御部１１はステップＳ６２で、カーソルキー４が上下左右方向のうちいずれかの方向に押下されたかどうかを判断し、カーソルキー４がいずれかの方向に押下された場合はステップＳ６３で、前記押下方向に対応させてカーソルポインタＣを変更してカーソルＫを升目単位（小領域単位）で移動させてカーソルの表示位置（カーソルポインタＣ）を変更する。した後、例えば、図８の升目０の位置にカーソルＫが表示されている状態  （カーソルポインタは０）でカーソルキー４が右方向に押下された場合には、カーソルポインタＣを１に変更させてカーソルＫを升目１に移動表示させ（カーソルＫ１）、更に、カーソルキー４が下方向に２回押下された場合には、カーソルポインタＣを１回目では１から６、２回目では６から１１にそれぞれ変更させて最終的にカーソルＫ２を表示させる。ステップＳ６２に戻る。この場合即ち、カーソルＫはカーソルキー４の各上下右左のキー入力に対応して升目を上下右左方向に升目単位で移動する。但し、第一列目ではカーソルＫは左方向には移動せず、第五列目ではカーソルＫは右方向には移動せず、第一行目ではカーソルＫは上方向には移動せず、第四列目ではカーソルＫは下方向には移動しない。
【００３４】
ステップＳ６２とＳ６３の処理を繰り返すことにより、カーソルＫが升目を順次移動し、目的の升目のところに移動した際にすると、ユーザはがエンターキー５を押下して確定する。これを受けて制御部１１はステップＳ６４で、エンターキー５が押下されたかどうかを判断し、押下された場合は、ステップＳ６５で、エンターキー５が押下された時点でのカーソル表示の位置データ（カーソルポインタＣの値）を順位レジスタＲのアドレス指定ポインタＰが示す場所に書き込む。
【００３５】
その後、ステップＳ６６で、アドレス指定ポインタＰ及び設定数Ｎを＋１インクリメントして、ステップＳ６２に戻る。このステップＳ６２からステップＳ６６の処理を繰り返すことにより、照合のため指示すべき升目の位置データがと順番が順位レジスタＲに設定データとして順次設定記憶される。ステップＳ６４で、エンターキー５が押下されない場合は、ステップＳ６７に進んで、終了キー６が押下されたかどうかを判断し、押下されない場合はステップＳ６２に戻り、押下された場合はステップＳ６８で進んで、フラグＦを１にして処理を終了する。
【００３６】
具体的には、デフォルト値である図８の升目（０）に在るカーソルＫをカーソルキー４を操作して升目（１）に移動してエンターキー５を押すと、図３（ｂ）に示すように升目（１）の位置情報が順位レジスタＲの順位１のところに書き込まれる。以下同様で、カーソルキー４を操作してカーソルＫを升目（１１）、升目（２１）、升目（２３）、升目  （１３）と移動し、移動する度にエンターキー５を押すと、順位レジスタＲの順位２から順位９Ｎのところに各升目の位置情報が書き込まれて、図３（ｂ）に示すように照合用のデータが設定される。
【００３７】
図４に戻り、ステップＳ１で、フラグＦが１（Ｆ＝１）でユーザ照合用のデータが既に設定されていると判断されてステップＳ２に進んだ場合、制御部１１はステップＳ２で、表示部３に図６に示すような升目１００を表示すると共に、升目の一つにカーソルＫを表示する。
【００３８】
次のステップＳ３で、ユーザはカーソルＫを十字キー（カーソルキー）４を操作して、予め決められた升目を予め決められた順序で移動させ、エンターキー５を押すことによって、入力された値とステップＳ６で予め設定された設定データを比較する照合処理を行なう。
【００３９】
図８９は図４のステップＳ３の照合処理の詳細を示したサブルーチンフローチャートである。尚、このステップＳ３に入ると、図示してないが図７のステップＳ６１に示した初期設定処理と同一の初期設定処理が行われて図９のステップＳ３１に進む。しかしてまず、制御部１１はステップＳ３１で、カーソルキー４が押下されたかどうかを判断し、押下された場合はステップＳ３２に進んで、図６に示したカーソルＫの表示位置（カーソルポインタＣの値）を変更し、ステップＳ３１に戻る。カーソルキー４が押下されない場合はステップＳ３３に進み、エンターキー５が押下されたかどうかを判断する。
【００４０】
制御部１１はこのエンターキー５が押下されるまで、カーソルＫの表示位置の移動制御を行い、エンターキー５が押下されると、ステップＳ３４に進んで、カーソルポインタＣの値と順位レジスタＲのアドレス指定ポインタＰが示す順位１の値とが一致したかどうかを判断し、一致しない場合はステップＳ３７に進んで、表示部３にエラーであることを示す文を表示するエラー表示（照合失敗）を行なってして処理を終了する。
【００４１】
カーソルポインタＣの値と順位レジスタＲの順位１の値とが一致した場合は、ステップＳ３５に進んで、順位レジスタＲのうち位置情報が記憶されている最終の順位レジスタＲ最終順位との比較かどうかしたかどうかを判断し、最終順位レジスタＲでない場合はステップＳ３６に進んで、順位レジスタＲのアドレス指定ポインタＰの値を＋１インクリメントすると共に、設定数Ｎを＋１インクリメントしてステップＳ３１の処理に戻る。したがってこのようにして、ユーザが予め指定された升目にカーソルＫを順次移動させてエンターキー５を押下指示すると、その都度制御部１１はステップＳ３１〜Ｓ３６の処理を繰り返す照合処理を行い、その中で、一度でも、カーソルＫが指示点が予め指定された升目でない状態でエンターキー５が押下された場合は、ステップＳ３７のエラー表示と共に、照合結果を使用不可として、動作開始処理を行うことなく処理を終了する。
【００４２】
しかし、カーソルＫを移動させた際のカーソルポインタＣの値と予め順位レジスタＲに設定してある全ての順位の値とが一致した場合はステップＳ３５で最終順位迄完了したであると判断し、制御部１１はステップＳ３８に進んで、装置をユーザが使用できる状態に移行する動作開始処理を実行し（照合成功）して装置の動作を開始し、照合処理（照合成功）を終了する。
【００４３】
具体的には、デフォルト値である図８の升目（０）に在るカーソルＫをカーソルキー４を操作して升目（１）に移動してエンターキー５を押す、更に続けて、カーソルキー４を操作してカーソルＫを升目（１１）、升目（２１）、升目（２３）、升目（１３）と移動し、移動する度にエンターキー５を押せば、前述した設定データと升目の指示位置と指示順番が一致するため、照合成功となる。しかし、上記升目の移動中に一度でも設定データと異なる升目を指示してしまうと、照合失敗となる。
【００４４】
このように、本実施の形態によれば、電源オン時に表示された複数の升目の中で所定の升目を所定の順序でカーソルＫにより設定データ通りに指指定示すると、ユーザ照合がなされ、装置が使用可能状態になるため、テンキーなどを持たない携帯情報端末１でも、容易にユーザ照合を行うことができる。また、カーソルＫは升目単位で移動するため、指示位置がずれることはなく、指示位置のずれによる誤判定を無くすことができる。更に、セキュリティーを上げるため、指示する升目の位置と順番を複雑にしても紙などに書いて容易に記録することができるので、忘れた場合は記録を見て正しい照合を行うことができる。
【実施例２】
【００４５】
図１０は、本発明の第２の実施の形態に係る照合データの設定処理を示したフローチャートである。但し、本例の構成は上記した第１の実施の形態と同様であるため、以下同一の構成を持つ各部については、その構成動作の説明を省略し、以下、その動作の特徴部分を説明する。
【００４６】
本実施の形態も、電源オン時にユーザ照合の設定がされてない場合に、照合データの設定を行うことができるが、この設定の仕方が第１の実施の形態のと異なるところであり、以下、図１０に従って本実施の形態の照合データ（連続した升目で形成される経路）の設定について説明する。
【００４７】
ユーザが照合データの設定を選択すると、制御部１１はステップＳ１１で、図３（ａ）に示した記憶部１３のＲＡＭ上の照合用のデータを初期設定する。即ち、カーソル位置を示すカーソルポインタＣを０、アドレス指定ポインタＰを１、設定数Ｎを００に設定する。これと同時に図１１に示すような照合設定用の升目を表示部３に表示する。
【００４８】
次に制御部１１はステップＳ１２で、カーソルキー４が押下されたかどうかを判断し、カーソルキー４が押下された場合はステップＳ１３で、前記押下方向に対応してカーソルＫを升目単位で移動させてカーソル表示位置（カーソルポインタＣの値）を変更する。
【００４９】
更に、制御部１１はステップＳ１４で、変更したカーソルポインタＣの値をアドレス指定ポインタＰが示す順位レジスタＲの場所に書き込んだ後、ステップＳ１５で、アドレス指定ポインタＰを＋１インクリメントすると共に、設定数Ｎを＋１インクリメントして、ステップＳ１２に戻る。これらステップＳ１２からＳ１５の処理を繰り返すことで、指示すべき升目の位置情報と順番が連続的に設定される。特にこの場合は、設定された升目は連続しており、飛びが無いところが本例の特徴であり、設定データは連続した升目で形成される経路となる。
【００５０】
一方、ステップＳ１２で、カーソルキー４が押下されなかった場合、制御部１１はステップＳ１６に進んで、終了キー６が押下されたかどうかを判断し、押下されない場合はステップＳ１２に戻り、押下された場合はステップＳ１７でフラグＦを１として処理を終了する。
【００５１】
具体的には、図１１に示すようにデフォルト値である図８の升目（０）に在るカーソルＫをカーソルキー４の操作をして升目（１）に移動し、更に続けて、升目（６）、升目（７）、升目（１２）、升目（１３）と移動すると、移動する度に、これら升目の位置情報が順位レジスタＲに順番に書き込まれ、最後に終了キー６を押すと、設定データが図１２に示すように確定する。
【００５２】
図１３は上記のようにユーザ照合が設定されている場合の照合処理を示したフローチャートである。照合処理時、制御部１１は表示部３に図２に示した升目と同様の照合用升目を表示する。ユーザはこの升目の中から予め設定した連続する升目をカーソルキー４を操作して連続的に指示すれば良い。
【００５３】
これを受けて、制御部１１はステップＳ２１で、カーソルキー４が押下されたと判断すると、ステップＳ２２に進んで、カーソル表示位置（カーソルポインタＣの値）を変更し、ステップＳ２３でこの変更したＣ値が図１２に示した設定データに一致するかどうかを判断し、一致しない場合はステップＳ２７に進んでエラー表示をして処理を終了する。即ちこの場合は照合されないことになる。
【００５４】
一方、変更したＣ値が設定データに一致した場合、ステップＳ２４に進んで、最終順位の升目までカーソルＫが移動したかどうかを判断し、移動していない場合はステップＳ２５で、アドレス指定ポインタＰを＋１インクリメントすると共に設定数Ｎを＋１インクリメントして、ステップＳ２１に戻る。またステップＳ２４で最終順位の升目までカーソルＫが移動した場合、制御部１１はステップＳ２６に進んで、携帯情報端末１を装置を使用可能状態とする動作開始処理を行って処理を終了として装置の動作を開始する。
【００５５】
本実施の形態によれば、ユーザが指示して形成される連続した升目の経路が設定データのそれと同一であるか判断することで照合を行うことにより、照合データの設定時に、エンターキー５を押下することなく、連続した升目（升目で形成される経路）を照合時に指示すべき升目として設定することができるため、第１の実施の形態よりも照合データの設定を容易且つ迅速に行うことができる。
【００５６】
尚、本発明は上記各実施の形態に限定されることなく、その要旨を逸脱しない範囲において、具体的な構成、機能、作用、効果において、他の種々の形態によっても実施することができる。例えば上記実施の形態では照合図形として複数の升目を表示したが、照合図形は升目とは限らず、同一図形の丸が連続して平面状に連結してなる図形などであっても良く、更に小領域が表示装置の画面に点在させて表示するようにしても良く、また、平面状の表示画面の表示装置である必要もない。要するにユーザがカーソルで指示できる大きさの小領域が連続して平面状に連結してからなる図形を表示装置の画面上に表示するものであれば良い。
【００５７】
また、升目の指定はカーソルの移動でなく、升目の表示態様を変えることによって行っても良い。例えば予め設定された位置の升目を指定された任意の色で塗り潰し、塗り潰した升目の位置と色が予め設定した升目と色設定データとあっていた場合に限り、照合成功とするようにしても良い。或いは升目の中にアイコンを並べ、そのアイコンの並び順が設定データと一致した場合に限り、照合成功とするようにしても良い。
【００５８】
更に、上記実施の形態では本発明を携帯情報端末１携帯無線端末に適用した例について説明したが、携帯電話やパーソナルコンピュータなどテンキーを持つものに適用しても同様の効果がある。また、車や家、金庫などのドアの照合装置として、或いは、現金支払機の照合装置として利用できるなど種種の用途に適用可能である。
【図面の簡単な説明】
【００５９】
【図１】本発明の第１の実施の形態に係る照合装置を搭載した携帯情報端末の構成を示した平面図である。
【図２】図１に示した携帯情報端末の情報処理系の構成を示したブロック図である。
【図３】図２の記憶部にユーザ照合を行う際に展開される記憶部１３照合用データの構成を示した模式図である。
【図４】第１の実施の形態の動作を示したフローチャートである。
【図５】図１、図２に示した表示部に照合データが未設定の場合に表示される例を示した図である。
【図６】図１、図２に示した表示部に照合データが設定されている場合に表示される例を示した図である。
【図７】図４に示した設定処理の詳細を示したサブルーチンフローチャートである。
【図８】図１、図２に示した表示部に表示される照合設定用の升目を示した図である。
【図９】図４に示した照合処理の詳細を示したサブルーチンフローチャートである。
【図１０】本発明の第２の実施の形態に係る照合データの設定処理を示したフローチャートである。
【図１１】第２の実施の形態の照合設定用の升目を示した図である。
【図１２】第２の実施の形態の設定データ例を示した図である。
【図１３】本発明の第２の実施の形態に係る照合処理を示したフローチャートである。
【符号の説明】
【００６０】
１  携帯情報端末
２  ケース
３  表示部
４  十字キー（カーソルキー）
５  機能キー（エンターキー）
６  機能キー（終了キー）
８  アンテナ
９  通信カード
１０  記憶媒体
１１  制御部（ＣＰＵ）
１２  ＲＯＭ
１３  記憶部
１４  通信制御部
１５  キー入力部
１６  記憶制御部
【図１】
2005050251.tif 000003
【図２】
2005050251.tif 000004
【図３】
2005050251.tif 000005
【図４】
2005050251.tif 000006
【図５】
2005050251.tif 000007
【図６】
2005050251.tif 000008
【図７】
2005050251.tif 000009
【図８】
2005050251.tif 000010
【図９】
2005050251.tif 000011
【図１０】
2005050251.tif 000012
【図１１】
2005050251.tif 000013
【図１２】
2005050251.tif 000014
【図１３】
2005050251.tif 000015